(57)【特許請求の範囲】
【請求項１】
筐体と、
前記筐体に設けられ、開閉可能となっているカバーと、
前記カバーとは別に前記筐体に設けられ、エラー解除のための前記筐体の外部への有価媒体の取り出しの手順に係るガイダンス画面を少なくとも表示させることができる表示部と、
前記表示部を支持するための支持部と、
を備え、
前記支持部は前記筐体の前壁部分の少なくとも一部を構成しており、
前記カバーを開けることによって前記筐体の内部にアクセス可能となっており、
前記支持部は当該支持部の基端部分に設けられた軸を中心として揺動させることにより前記筐体の手前側に開くことができるようになっている、有価媒体処理装置。
【請求項２】
前記表示部を所定位置から移動させることができるようになっている、請求項１記載の有価媒体処理装置。
【請求項３】
前記支持部を元の前記所定位置に戻る方向に付勢するための付勢部が設けられている、請求項２記載の有価媒体処理装置。
【請求項４】
前記カバーが開かれた状態においてのみ前記表示部を前記所定位置から移動させることができるようになっている、請求項２または３記載の有価媒体処理装置。
【請求項５】
筐体と、
前記筐体に設けられ、開閉可能となっているカバーと、
前記カバーに設けられ、エラー解除のための前記筐体の外部への有価媒体の取り出しの手順に係るガイダンス画面を少なくとも表示させることができる表示部と、
を備え、
前記カバーは複数のカバー部分から構成されており、各前記カバー部分は他の前記カバー部分に対して回転可能に接続されており、
前記カバーを開けることによって前記筐体の内部にアクセス可能となっており、
前記カバーが開かれた状態においてある前記カバー部分を他の前記カバー部分に対して回転させることにより前記表示部の向きを変えることができるようになっている、有価媒体処理装置。
【請求項６】
前記表示部は前記カバーに対して回転自在に取り付けられている、請求項５記載の有価媒体処理装置。
【請求項７】
前記筐体の外部から内部に有価媒体を投入するための投入口が前記カバーに設けられている、請求項１乃至６のいずれか一項に記載の有価媒体処理装置。
【請求項８】
前記カバーは前記筐体の上部に設けられており、当該カバーは前記筐体から上方に開くようになっている、請求項１乃至７のいずれか一項に記載の有価媒体処理装置。
【発明の詳細な説明】
【技術分野】
【０００１】
本発明は、紙幣や硬貨等の貨幣や、小切手や商品券等の有価証券からなる有価媒体の処理を行う有価媒体処理装置に関し、とりわけ、開閉可能となっているカバーが筐体に設けられている有価媒体処理装置に関する。
【背景技術】
【０００２】
紙幣や硬貨等の貨幣の処理を行う貨幣処理装置において、開閉可能となっているカバーが筐体の上部に設けられ、当該カバーが筐体から上方に開くようになっているものが従来から知られている（例えば、特許文献１、２等参照）。従来では、このようなタイプの貨幣処理装置において、操作者が操作を行うためのボタンや操作キー等の操作部、および様々な情報を表示するためのモニタやタッチパネル等の表示部がそれぞれカバーに取り付けられており、カバーを筐体から上方に開くとこれらの操作部や表示部もカバーと一体的に上方に移動するようになっていた。
【先行技術文献】
【特許文献】
【０００３】
【特許文献１】特開２０１２−０４３０７０号公報
【特許文献２】特開２０１２−０９３９２９号公報
【発明の概要】
【発明が解決しようとする課題】
【０００４】
上記のタイプの貨幣処理装置において、筐体内で貨幣のジャム（詰まり）等の異常が発生したときには、エラー解除のための筐体外への貨幣の取り出しの手順に係るガイダンス画面が表示部に表示されるようになっており、操作者は、この表示部に表示されるガイダンス画面に従って、カバーを筐体から上方に開いた後、当該筐体の内部に手を入れてこの筐体の内部から外部にジャムの要因となる貨幣を取り出すようになっている。
【０００５】
しかしながら、エラー解除のための筐体外への貨幣の取り出しの手順に係るガイダンス画面を表示させる表示部がカバーに取り付けられており、カバーを筐体から上方に開くと表示部もカバーと一体的に上方に移動するようになっている場合には、カバーを筐体から上方に開いたときに、操作者にとって表示部に表示されるガイダンス画面が見にくくなり、筐体の内部から外部にジャムの要因となる貨幣を取り出す際の作業性が悪くなってしまうという問題があった。
【０００６】
本発明は、このような点を考慮してなされたものであり、カバーを筐体から開いた後に当該筐体の内部に手を入れてこの筐体の内部から外部にジャムの要因となる有価媒体を取り出す際に、カバーが開かれた状態でも表示部に表示されるガイダンス画面の視認性を維持することができ、よって、操作者にとっての作業性を向上させることができる有価媒体処理装置を提供することを目的とする。
【課題を解決するための手段】
【０００７】
本発明の有価媒体処理装置は、筐体と、前記筐体に設けられ、開閉可能となっているカバーと、前記カバーとは別に前記筐体に設けられ、エラー解除のための前記筐体の外部への有価媒体の取り出しの手順に係るガイダンス画面を少なくとも表示させることができる表示部と、前記表示部を支持するための支持部と、を備え、前記支持部は前記筐体の前壁部分の少なくとも一部を構成しており、前記カバーを開けることによって前記筐体の内部にアクセス可能となっており、前記支持部は当該支持部の基端部分に設けられた軸を中心として揺動させることにより前記筐体の手前側に開くことができるようになっていることを特徴とする。
【０００８】
このような有価媒体処理装置によれば、エラー解除のための筐体の外部への有価媒体の取り出しの手順に係るガイダンス画面を少なくとも表示させることができる表示部がカバーとは別に筐体に設けられているため、カバーを筐体から開いた後に当該筐体の内部に手を入れてこの筐体の内部から外部にジャムの要因となる有価媒体を取り出す際に、カバーが開かれた状態でも表示部に表示されるガイダンス画面の視認性を維持することができ、よって、操作者にとっての作業性を向上させることができる。
【００１１】
また、上記の有価媒体処理装置においては、前記表示部を所定位置から移動させること
ができるようになっていてもよい。
【００１５】
また、前記支持部を元の前記所定位置に戻る方向に付勢するための付勢部が設けられていてもよい。
【００１６】
また、前記カバーが開かれた状態においてのみ前記表示部を前記所定位置から移動させることができるようになっていてもよい。
【００１７】
本発明の有価媒体処理装置は、筐体と、前記筐体に設けられ、開閉可能となっているカバーと、前記カバーに設けられ、エラー解除のための前記筐体の外部への有価媒体の取り出しの手順に係るガイダンス画面を少なくとも表示させることができる表示部と、を備え、前記カバーは複数のカバー部分から構成されており、各前記カバー部分は他の前記カバー部分に対して回転可能に接続されており、前記カバーを開けることによって前記筐体の内部にアクセス可能となっており、前記カバーが開かれた状態においてある前記カバー部分を他の前記カバー部分に対して回転させることにより前記表示部の向きを変えることができるようになっていることを特徴とする。
【００１８】
このような有価媒体処理装置によれば、カバーが開かれた状態において表示部の向きを変えることができるようになっているため、カバーを筐体から開いた後に当該筐体の内部に手を入れてこの筐体の内部から外部にジャムの要因となる有価媒体を取り出す際に、カバーが開かれた状態でも表示部に表示されるガイダンス画面の視認性を維持することができ、よって、操作者にとっての作業性を向上させることができる。
【００２０】
上記の有価媒体処理装置においては、前記表示部は前記カバーに対して回転自在に取り付けられていてもよい。
また、前記筐体の外部から内部に有価媒体を投入するための投入口が前記カバーに設けられていてもよい。
また、前記カバーは前記筐体の上部に設けられており、当該カバーは前記筐体から上方に開くようになっていてもよい。
【発明の効果】
【００２１】
本発明の有価媒体処理装置によれば、カバーを筐体から開いた後に当該筐体の内部に手を入れてこの筐体の内部から外部にジャムの要因となる有価媒体を取り出す際に、カバーが開かれた状態でも表示部に表示されるガイダンス画面の視認性を維持することができ、よって、操作者にとっての作業性を向上させることができる。
【図面の簡単な説明】
【００２２】
【図１】本発明の実施の形態による貨幣入金機の外観を示す斜視図である。
【図２】図１に示す貨幣入金機における硬貨入金装置の内部を側方から見たときの構成を示す側面図である。
【図３】図２に示す硬貨入金装置の内部における上部領域を上方から見たときの構成を示す上面図である。
【図４】図１に示す貨幣入金機における紙幣入金装置の内部を側方から見たときの構成を示す側面図である。
【図５】図１に示す貨幣入金機の制御系の構成を示す機能ブロック図である。
【図６】図１に示す貨幣入金機の上部カバーを上方に開くとともに操作表示部の支持部を前方に倒したときの紙幣入金装置の内部構成を示す側面図である。
【図７】図１に示す貨幣入金機の上部カバーを上方に開いたときの外観を示す斜視図である。
【図８】図１に示す貨幣入金機の上部カバーを上方に開いたときの識別部の構成を示す斜視図である。
【図９】図８に示す状態から識別部を前方に開いたときの当該識別部の構成を示す斜視図である。
【図１０】図８に示す状態から識別部を前方に開いたときの搬送部の可動搬送部分の構成を示す斜視図である。
【図１１】図１０に示す状態から搬送部の可動搬送部分を上方に開いたときの当該可動搬送部分の構成を示す斜視図である。
【図１２】図７に示す状態から操作表示部の支持部を前方に倒したときの外観を示す斜視図である。
【図１３】図７に示す状態から操作表示部の支持部を前方に倒したときの分岐部の可動搬送部分の構成を示す斜視図である。
【図１４】図１３に示す状態から分岐部の可動搬送部分を上方に開いたときの当該可動搬送部分の構成を示す斜視図である。
【図１５】図１に示す貨幣入金機の上部カバーを上方に開いたときの紙幣入金装置の内部構成の一部を示す側面図である。
【図１６】図１５に示す状態から識別部を前方に開いたときの紙幣入金装置の内部構成の一部を示す側面図である。
【図１７】図１６に示す状態から搬送部の可動搬送部分を上方に開いたときの紙幣入金装置の内部構成の一部を示す側面図である。
【図１８】図１５に示す状態から操作表示部の支持部を前方に倒したときの紙幣入金装置の内部構成の一部を示す側面図である。
【図１９】図１８に示す状態から分岐部の可動搬送部分を上方に開いたときの紙幣入金装置の内部構成の一部を示す側面図である。
【図２０】（ａ）〜（ｄ）は、図１に示す貨幣入金機においてエラー解除のために筐体の内部から外部にジャムの要因となる紙幣を取り出す際に操作表示部に表示されるガイダンス画面を示す図である。
【図２１】変形例に係る貨幣入金機の上部カバーを上方に開いたときの紙幣入金装置の内部構成を示す側面図である。
【発明を実施するための形態】
【００２３】
以下、図面を参照して本発明の実施の形態について説明する。本実施の形態による貨幣入金機は、硬貨や紙幣等の貨幣の入金処理や計数処理を行うものであり、このような貨幣入金機はスーパーマーケットやショッピングモール等の商業施設における出納室に設置されたり、自動販売機のメンテナンス会社の営業所に設置されたりするようになっている。図１乃至図２０は、本実施の形態による貨幣入金機を示す図である。このうち、図１は、本実施の形態による貨幣入金機の外観を示す斜視図であり、図２および図３は、図１に示す貨幣入金機における硬貨入金装置の内部の構成を示す側面図や上面図であり、図４は、図１に示す貨幣入金機における紙幣入金装置の内部の構成を示す側面図である。また、図５は、図１に示す貨幣入金機の制御系の構成を示す機能ブロック図である。また、図６は、図１に示す貨幣入金機の上部カバーを上方に開くとともに操作表示部の支持部を前方に倒したときの紙幣入金装置の内部構成を示す側面図である。また、図７乃至図１４は、図１に示す貨幣入金機の筐体内で紙幣のジャム（詰まり）等の異常が発生したときに、エラー解除のために筐体の内部から外部にジャムの要因となる紙幣を取り出す際の動作を示す斜視図である。また、図１５乃至図１９は、図１に示す貨幣入金機の筐体内で紙幣のジャム（詰まり）等の異常が発生したときに、エラー解除のために筐体の内部から外部にジャムの要因となる紙幣を取り出す際における紙幣入金装置の内部構成の一部を示す側面図である。また、図２０（ａ）〜（ｄ）は、図１に示す貨幣入金機においてエラー解除のために筐体の内部から外部にジャムの要因となる紙幣を取り出す際に操作表示部に表示されるガイダンス画面を示す図である。
【００２４】
まず、本実施の形態による貨幣入金機１の構成について図１乃至図５を用いて説明する。図１は、本実施の形態による貨幣入金機１の外観を示す斜視図である。図１に示すように、本実施の形態による貨幣入金機１は略直方体形状の筐体１ａを有している。また、貨幣入金機１の筐体１ａを手前側から見て当該貨幣入金機１の左側部分には硬貨の入金処理や計数処理を行う硬貨入金装置１０が設けられており、一方、貨幣入金機１の筐体１ａを手前側から見て当該貨幣入金機１の右側部分には紙幣の入金処理や計数処理を行う紙幣入金装置５０が設けられている。また、図１に示すように、貨幣入金機１の筐体１ａの上部には上部カバー２が設けられており、この上部カバー２を上方に開くことにより操作者は硬貨入金装置１０や紙幣入金装置５０の内部にアクセスすることができるようになっている（図６や図７等参照）。より詳細には、上部カバー２は水平方向に延びる軸２ｐを中心として図１に示す状態から上方に回転することができるようになっている。ここで、硬貨入金装置１０の投入部１２（後述）における硬貨の投入口および紙幣入金装置５０の投入部５２（後述）における紙幣の投入口はそれぞれ上部カバー２に設けられている。一方、後述する操作表示部８６、８８は上部カバー２とは別に設けられており、上部カバー２を上方に開いても操作表示部８６、８８の位置は変化しないようになっている（図７参照）。
【００２５】
また、本実施の形態の貨幣入金機１には、上部カバー２が上方に開かれたときにこのことを検知する上部カバー開閉検知センサ（図示せず）が設けられている。また、本実施の形態の貨幣入金機１には、上部カバー２を閉状態でロックするためのロック部（図示せず）が設けられており、貨幣入金機１において硬貨や紙幣の計数処理や入金処理が行われているときにはロック部により上部カバー２が閉状態にロックされて当該上部カバー２を上方に開くことができないようになっている。
【００２６】
次に、本実施の形態の貨幣入金機１における硬貨入金装置１０の構成について図２および図３を用いて説明する。上述したように、図２は、硬貨入金装置１０の内部を側方から見たときの構成を示す側面図であり、図３は、図２に示す硬貨入金装置１０の内部における上部領域を上方から見たときの構成を示す上面図である。図２および図３に示すように、硬貨入金装置１０は、筐体１ａの外部から内部に硬貨を投入するための投入部１２と、投入部１２により筐体１ａの内部に投入された硬貨を搬送するための搬送部１４と、搬送部１４により搬送される硬貨の金種、真偽、正損等の識別を行う識別部１６とを備えている。
【００２７】
より詳細には、図２および図３に示すように、投入部１２には、水平状態となるよう配置された円盤形状の回転盤１３が設けられており、当該回転盤１３が回転することにより、筐体１ａの外部から投入されこの回転盤１３の上に載置された硬貨が１枚ずつ当該回転盤１３から搬送部１４に繰り出されるようになっている。また、投入部１２には、筐体１ａの外部から当該投入部１２に投入された硬貨を検知するための投入硬貨検知センサ（図示せず）が設けられている。また、図１に示すように、筐体１ａの上面には硬貨の投入口の開閉を行うシャッタ１２ａが設けられており、当該シャッタ１２ａが開かれたときに操作者は筐体１ａの外部から投入部１２に硬貨を投入することができるようになっている。このようなシャッタ１２ａは操作者が手動で開閉を行うことができるようになっている。
【００２８】
また、搬送部１４は、図３において矢印で示す方向に循環移動を行う無端状の搬送ベルト１４ａと、当該搬送ベルト１４ａが張架される複数のプーリ１４ｂ、１４ｃとを有しており、複数のプーリ１４ｂ、１４ｃのうちある一つのプーリ１４ｂには当該プーリ１４ｂを回転駆動させる駆動モータ（図示せず）が設けられている。また、無端状の搬送ベルト１４ａには、当該搬送ベルト１４ａの長手方向に沿って複数の突起が間隔を空けて設けられており、各突起により硬貨が１枚ずつ押動されて搬送されるようになっている。このような搬送部１４において、駆動モータがプーリ１４ｂを回転駆動させることにより無端状の搬送ベルト１４ａが図３において矢印で示す方向に循環移動し、このことにより投入部１２により筐体１ａの内部に投入された硬貨が１枚ずつ搬送ベルト１４ａにより搬送されるようになる。
【００２９】
また、搬送部１４には、識別部１６による硬貨の識別結果に基づいて硬貨の振り分けを行う振分機構１８が設けられている。具体的には、振分機構１８は、識別部１６により正常な硬貨であると識別された硬貨を当該搬送部１４から分岐させて後述する一時保留部２６に送るようになっている。より詳細に説明すると、搬送部１４において硬貨が搬送される搬送面において振分機構１８の近傍には開口が設けられている。そして、振分機構１８が搬送部１４における硬貨の搬送面から上方に突出した突出位置に移動すると、搬送部１４の搬送ベルト１４ａにより搬送される硬貨が当該開口を介して搬送部１４から下方に落下して後述する一時保留部２６に送られるようになる。また、搬送部１４の下流側端部の近傍には開口２０が設けられており、振分機構１８により搬送部１４から分岐されなかった硬貨、すなわち識別部１６により正常な硬貨ではないと識別された硬貨や識別部１６により識別することができなかった硬貨がリジェクト硬貨として当該開口２０から下方に落下し、後述するリジェクト部２８に送られるようになっている。
【００３０】
図２に示すように、硬貨入金装置１０において搬送部１４の下方には一時保留部２６およびリジェクト部２８がそれぞれ設けられている。ここで、一時保留部２６は、硬貨入金装置１０の奥行き方向（すなわち、図２における左右方向）において移動可能となっており、図２において実線や二点鎖線で示される３箇所の位置に移動することができるようになっている。また、一時保留部２６は、その頂部および底部に開口が設けられた略直方体形状の枠体を有している。また、図２における中央位置にある一時保留部２６と、搬送部１４における硬貨の搬送面において振分機構１８の近傍に設けられた開口との間には一時保留用シュート２２が設けられており、振分機構１８により振り分けられた硬貨は一時保留用シュート２２を通って一時保留部２６に送られるようになっている。また、リジェクト部２８と、搬送部１４の下流側端部の近傍に設けられた開口２０との間にはリジェクト用シュート２４が設けられており、開口２０から落下したリジェクト硬貨はリジェクト用シュート２４を通ってリジェクト部２８に送られるようになっている。
【００３１】
図１に示すように、リジェクト部２８は貨幣入金機１の筐体１ａの前面側から操作者がアクセスすることができるようになっており、このリジェクト部２８にリジェクト硬貨が送られると、操作者はリジェクト部２８からリジェクト硬貨を取り出すことができるようになっている。
【００３２】
また、硬貨入金装置１０の奥行き方向において手前側に位置する一時保留部２６（すなわち、図２において左側に位置する一時保留部２６）の下方には硬貨返却箱３０が設けられており、一時保留部２６が図２における中央の位置から左側の位置に移動すると、当該一時保留部２６に一時的に保留されている硬貨がこの一時保留部２６から自重により落下して硬貨返却箱３０に送られるようになっている。このような硬貨返却箱３０は筐体１ａから手前側に引き出し可能となっている。具体的には、硬貨返却箱３０を筐体１ａの内部にロックするためのロック部３１（図５参照）が設けられており、当該ロック部３１によるロック状態が解除されると、硬貨返却箱３０を筐体１ａから手前側に引き出すことができるようになる。また、図１に示すように、硬貨返却箱３０の前面には、操作者が把持するための把持部分３０ａが設けられており、ロック部３１によるロック状態が解除された後、操作者が把持部分３０ａを把持して硬貨返却箱３０を筐体１ａから手前側に引き出すことにより、硬貨返却箱３０に収納されている硬貨を筐体１ａの外部に返却することができるようになる。
【００３３】
また、硬貨入金装置１０の内部における下部領域には硬貨収納カセット４０が収容されており、硬貨入金装置１０の奥行き方向において奥側に位置する一時保留部２６（すなわち、図２において右側に位置する一時保留部２６）と、硬貨収納カセット４０との間には収納用シュート３２が設けられている。このことにより、一時保留部２６が図２における中央の位置から右側の位置に移動すると、当該一時保留部２６に一時的に保留されている硬貨がこの一時保留部２６から自重により落下して、収納用シュート３２を介して硬貨収納カセット４０に送られ、当該硬貨収納カセット４０に収納されるようになる。なお、硬貨収納カセット４０は筐体１ａの外部に取り出すことができるようになっている。具体的には、図１に示すように貨幣入金機１の筐体１ａの前面における下部領域には、警送会社の警備員等の所定の権限を有する者しか開くことができない扉１ｂが設けられており、この扉１ｂを開くことにより硬貨収納カセット４０を筐体１ａの外部に取り出すことができるようになる。警送会社の警備員等により筐体１ａの外部に取り出された硬貨収納カセット４０は、警送会社の管理本部や現金処理センターに運搬され、硬貨収納カセット４０から取り出された硬貨がこの管理本部等で管理されるようになる。
【００３４】
次に、本実施の形態の貨幣入金機１における紙幣入金装置５０の構成について図４を用いて説明する。上述したように、図４は、紙幣入金装置５０の内部を側方から見たときの構成を示す側面図である。図４に示すように、紙幣入金装置５０は、筐体１ａの外部から紙幣が束状態で投入される投入部５２と、投入部５２に投入された紙幣を１枚ずつ筐体１ａの内部に繰り出すための繰出機構５４と、繰出機構５４により筐体１ａの内部に繰り出された紙幣を搬送するための搬送部５６と、搬送部５６により搬送される紙幣の金種、真偽、正損等の識別を行う識別部５８とを備えている。また、図１に示すように、筐体１ａの上面には紙幣の投入口の開閉を行うシャッタ５２ａが設けられており、当該シャッタ５２ａが開かれたときに操作者は筐体１ａの外部から投入部５２に紙幣の束を投入することができるようになっている。このようなシャッタ５２ａは操作者が手動で開閉を行うことができるようになっている。また、投入部５２には、筐体１ａの外部から当該投入部５２に投入された紙幣を検知するための投入紙幣検知センサ（図示せず）が設けられている。
【００３５】
また、搬送部５６における識別部５８よりも下流側の箇所には、識別部５８により識別された紙幣をリジェクト部６２および一時保留部６４のうちいずれか一方に振り分ける分岐部６０が設けられている。具体的には、分岐部６０において、識別部５８により正常な紙幣であると識別された紙幣は一時保留部６４に送られるよう振り分けられ、一方、識別部５８により正常な紙幣ではないと識別された紙幣や識別部５８により識別することができなかった紙幣はリジェクト紙幣としてリジェクト部６２に送られるよう振り分けられるようになっている。
【００３６】
図１に示すように、リジェクト部６２は貨幣入金機１の筐体１ａの前面側から操作者がアクセスすることができるようになっており、このリジェクト部６２にリジェクト紙幣が送られると、操作者はリジェクト部６２からリジェクト紙幣を取り出すことができるようになっている。
【００３７】
また、図４に示すように、紙幣入金装置５０の内部における下部領域において一時保留部６４の真下の位置には紙幣収納カセット７０が収容されている。そして、一時保留部６４に紙幣が一時的に保留された後、入金確定の指令が貨幣入金機１の本体制御部８０（後述）に与えられると、一時保留部６４から紙幣収納カセット７０に紙幣が一括して送られ、この紙幣収納カセット７０に収納されるようになっている。なお、紙幣収納カセット７０は筐体１ａの外部に取り出すことができるようになっている。具体的には、上述したように、貨幣入金機１の筐体１ａの前面における下部領域には扉１ｂが設けられており、この扉１ｂを開くことにより紙幣収納カセット７０を筐体１ａの外部に取り出すことができるようになる。警送会社の警備員等により筐体１ａの外部に取り出された紙幣収納カセット７０は、警送会社の管理本部や現金処理センターに運搬され、紙幣収納カセット７０から取り出された紙幣がこの管理本部等で管理されるようになる。
【００３８】
また、図１に示すように、貨幣入金機１の筐体１ａの前面における一時保留部６４の手前側の位置には扉１ｃが設けられているとともに、当該扉１ｃを閉状態にロックするための扉ロック部６５（図５参照）が設けられている。そして、当該扉ロック部６５による扉１ｃのロック状態が解除されると、操作者は扉１ｃを手前右側に開いて一時保留部６４の内部にアクセスすることができるようになる。このようにして、一時保留部６４に紙幣が一時的に保留された後、返却の指令が貨幣入金機１の本体制御部８０（後述）に与えられると、扉ロック部６５による扉１ｃのロック状態が解除され、操作者は扉１ｃを開くことにより一時保留部６４の内部から紙幣を取り出すことができるようになり、よって筐体１ａの外部に紙幣が返却されるようになる。そして、操作者が手動で扉１ｃを閉じると、扉ロック部６５により扉１ｃが再び閉状態にロックされるようになる。なお、一時保留部６４に一時的に保留された紙幣を紙幣収納カセット７０に収納させる際には、扉ロック部６５による扉１ｃの閉状態のロックが維持されたままとなる。
【００３９】
次に、本実施の形態による貨幣入金機１の制御系の構成について図５を用いて説明する。図５に示すように、本実施の形態による貨幣入金機１には、当該貨幣入金機１の各構成部材の制御を行う本体制御部８０が設けられている。また、硬貨入金装置１０には当該硬貨入金装置１０の各構成部材（具体的には、投入部１２、搬送部１４、識別部１６、振分機構１８、一時保留部２６、ロック部３１等）に接続された硬貨制御部８１が設けられており、当該硬貨制御部８１により硬貨入金装置１０の各構成部材が制御されるようになっている。また、紙幣入金装置５０には当該紙幣入金装置５０の各構成部材（具体的には、繰出機構５４、搬送部５６、識別部５８、分岐部６０、一時保留部６４、扉ロック部６５等）に接続された紙幣制御部８２が設けられており、当該紙幣制御部８２により紙幣入金装置５０の各構成部材が制御されるようになっている。図５に示すように、硬貨入金装置１０に設けられた硬貨制御部８１や紙幣入金装置５０に設けられた紙幣制御部８２はそれぞれ本体制御部８０に通信可能に接続されている。
【００４０】
また、図１に示すように、貨幣入金機１の筐体１ａの上面には、プリンタ等の印字部８４、タッチパネル等の２つの操作表示部８６、８８および操作者が携帯するＩＤカード等の記録媒体９２に記憶された情報（具体的には、ＩＤカードのＩＤ情報等）を読み取るための磁気カードリーダ等の読取部９０がそれぞれ設けられており、これらの印字部８４、操作表示部８６、８８、読取部９０はそれぞれ本体制御部８０に通信可能に接続されている。印字部８４は、貨幣入金機１における貨幣の入金処理や計数処理の結果に係る情報や、硬貨収納カセット４０や紙幣収納カセット７０に収納されている硬貨や紙幣の金種毎の枚数や合計金額に係る情報をレシートに印字するようになっている。また、操作表示部８６、８８には、貨幣入金機１における貨幣の入金処理や計数処理の結果に係る情報や、硬貨収納カセット４０や紙幣収納カセット７０に収納されている硬貨や紙幣の金種毎の枚数や合計金額に係る情報が表示されるようになっている。また、操作者は、操作表示部８６、８８を操作することにより本体制御部８０に様々な指示を与えることができるようになっている。また、操作者が携帯するＩＤカード等の記録媒体９２には、ＩＤカードのＩＤ情報等の様々な情報を記憶する記憶部９２ａが設けられており、この記録媒体９２を磁気カードリーダ等の読取部９０に通すと、当該記憶部９２ａに記憶された情報が読取部９０により読み取られるようになっている。具体的には、操作者が記録媒体９２を読取部９０に通すことにより、当該操作者の権限を認証することができるようになり、所定の権限を有する操作者のみが貨幣入金機１において貨幣の入金処理や計数処理、回収処理を行うことができるようになる。
【００４１】
また、本実施の形態の貨幣入金機１では、図１等に示すように、操作表示部８６、８８を支持するための支持部４が設けられており、この支持部４を筐体１ａの手前側に開くことができるようになっている。より詳細には、支持部４は、その下端部分（基端部分）に設けられた水平方向に延びる軸４ｐ（図４や図６等参照）を中心として揺動可能となっている。また、図１や図４、図６等に示すように、操作表示部８６、８８を支持するための支持部４は、貨幣入金機１の筐体１ａの前壁部分の少なくとも一部を構成しており、この支持部４は筐体１ａの手前側に開くことができるようになっている。また、支持部４の軸４ｐには、当該支持部４を筐体１ａの手前側に開いた状態から元の所定位置（具体的には、図６において二点鎖線で示す位置）に戻る方向に付勢するための付勢部として例えばねじりバネ等が設けられている。このことにより、操作者が手動で支持部４を筐体１ａの手前側に開いた後、この支持部４から手を離すと当該支持部４は自動的に図６において二点鎖線で示す元の所定位置に戻るようになっている。
【００４２】
また、本実施の形態では、操作表示部８６、８８を支持するための支持部４は、上部カバー２が上方に開かれた状態においてのみ、筐体１ａの手前側に開くことができるようになっている。すなわち、上部カバー２が閉じているときには、支持部４の上端部分が図示しない係合部材によって上部カバー２に係合することにより、当該支持部４を筐体１ａの手前側に開くことができないようになっている。
【００４３】
また、図５に示すように、本体制御部８０には記憶部９４が通信可能に接続されている。このような記憶部９４は貨幣入金機１の筐体１ａの内部に設けられており、当該記憶部９４には、貨幣入金機１における貨幣の入金処理や計数処理の結果に係る情報や、硬貨収納カセット４０や紙幣収納カセット７０に収納されている硬貨や紙幣の金種毎の枚数や合計金額に係る情報が記憶されるようになっている。
【００４４】
また、本体制御部８０には通信インターフェース部９８が通信可能に接続されており、本体制御部８０は、この通信インターフェース部９８により、貨幣入金機１の外部に設けられた上位端末等の外部装置と信号の送受信を行うことができるようになっている。
【００４５】
次に、このような構成からなる本実施の形態の貨幣入金機１の動作（具体的には、硬貨入金装置１０や紙幣入金装置５０において硬貨や紙幣の入金処理が行われるときの動作）について説明する。なお、以下に示す貨幣入金機１の動作は、本体制御部８０が当該貨幣入金機１の各構成部材を制御することにより、あるいは本体制御部８０が硬貨制御部８１や紙幣制御部８２を経由して硬貨入金装置１０や紙幣入金装置５０の各構成部材を制御することにより行われるようになっている。
【００４６】
まず、硬貨入金装置１０において硬貨の入金処理が行われるときの動作について以下に説明する。操作者が自己のＩＤカード等の記録媒体９２を読取部９０に通すことにより、当該操作者の権限が認証された後、この操作者が操作表示部８６、８８により入金処理開始の指令を本体制御部８０に与えると、当該操作者は貨幣入金機１の筐体１ａの上面に設けられたシャッタ１２ａを手動で開くことにより筐体１ａの外部から硬貨を投入部１２に投入することができるようになる。投入部１２に投入された硬貨は当該投入部１２に設けられた回転盤１３により１枚ずつ筐体１ａの内部に繰り出され、搬送部１４により搬送される。この際に、識別部１６により硬貨の金種、真偽、正損等の識別が行われる。識別部１６により正常な硬貨であると識別された硬貨は振分機構１８により搬送部１４から分岐させられ、一時保留用シュート２２を介して一時保留部２６に送られ、この一時保留部２６に一時的に保留される。この際に、一時保留部２６は図２における中央の位置に維持される。また、識別部１６により正常な硬貨ではないと識別された硬貨や識別部１６により識別することができなかった硬貨はリジェクト硬貨として開口２０から落下し、リジェクト用シュート２４を介してリジェクト部２８に送られる。上述したように、貨幣入金機１の筐体１ａの前面側から操作者がリジェクト部２８にアクセスすることができるようになっているため、リジェクト部２８にリジェクト硬貨が送られると、操作者はリジェクト部２８からリジェクト硬貨を取り出すことができるようになる。
【００４７】
投入部１２に投入された硬貨が全て当該投入部１２に設けられた回転盤１３により筐体１ａの内部に繰り出されて一時保留部２６またはリジェクト部２８に送られると、操作表示部８６、８８には入金確定の承認を求めるメッセージが表示される。そして、操作者が入金確定の指令を操作表示部８６、８８により本体制御部８０に入力すると、一時保留部２６は図２における中央の位置から右側の位置に移動し、この一時保留部２６に一時的に保留されている硬貨が当該一時保留部２６から自重により落下し、収納用シュート３２を介して硬貨収納カセット４０に送られ、この硬貨収納カセット４０に収納されるようになる。一方、操作者が入金確定の指令の代わりに返却の指令を操作表示部８６、８８により本体制御部８０に入力すると、一時保留部２６は図２における中央の位置から左側の位置に移動し、この一時保留部２６に一時的に保留された硬貨が当該一時保留部２６から自重により落下して硬貨返却箱３０に送られるようになる。また、返却の指令が本体制御部８０に入力されると、ロック部３１によるロック状態が解除され、硬貨返却箱３０は筐体１ａから手前側に引き出し可能となる。その後、操作者が把持部分３０ａを把持して硬貨返却箱３０を筐体１ａから手前側に引き出すことにより、硬貨返却箱３０に収納されている硬貨が筐体１ａの外部に返却される。
【００４８】
次に、紙幣入金装置５０において紙幣の入金処理が行われるときの動作について説明する。操作者が自己のＩＤカード等の記録媒体９２を読取部９０に通すことにより、当該操作者の権限が認証された後、この操作者が操作表示部８６、８８により入金処理開始の指令を本体制御部８０に与えると、当該操作者は貨幣入金機１の筐体１ａの上面に設けられたシャッタ５２ａを手動で開くことにより筐体１ａの外部から紙幣の束を投入部５２に投入することができるようになる。投入部５２に紙幣の束が投入されると、シャッタ５２ａを操作者が手動で閉じた後に繰出機構５４によって紙幣が１枚ずつ筐体１ａの内部に繰り出され、搬送部５６により搬送される。この際に、識別部５８により紙幣の金種、真偽、正損等の識別が行われる。識別部５８により正常な紙幣であると識別された紙幣は分岐部６０により一時保留部６４に送られ、この一時保留部６４に一時的に保留される。また、識別部５８により正常な紙幣ではないと識別された紙幣や識別部５８により識別することができなかった紙幣はリジェクト紙幣としてリジェクト部６２に送られる。上述したように、貨幣入金機１の筐体１ａの前面側から操作者がリジェクト部６２にアクセスすることができるようになっているため、リジェクト部６２にリジェクト紙幣が送られると、操作者はリジェクト部６２からリジェクト紙幣を取り出すことができるようになる。
【００４９】
投入部５２に投入された紙幣が全て繰出機構５４により筐体１ａの内部に繰り出されて一時保留部６４またはリジェクト部６２に送られると、操作表示部８６、８８には入金確定の承認を求めるメッセージが表示される。そして、操作者が入金確定の指令を操作表示部８６、８８により本体制御部８０に入力すると、一時保留部６４に一時的に保留された紙幣が当該一時保留部６４から紙幣収納カセット７０へ送り込まれ、この紙幣収納カセット７０に収納されるようになる。一方、操作者が入金確定の指令の代わりに返却の指令を操作表示部８６、８８により本体制御部８０に入力すると、扉ロック部６５による扉１ｃのロック状態が解除され、操作者は扉１ｃを開くことにより一時保留部６４から紙幣を取り出すことができるようになる。このようにして、一時保留部６４に収納されている紙幣が筐体１ａの外部に返却される。なお、硬貨の入金処理と紙幣の入金処理は同時並行的に行われ、単一の入金確定の指令あるいは返却の指令によって硬貨および紙幣の両方の収納動作または返却動作が行われる。
【００５０】
また、本実施の形態の貨幣入金機１では、筐体１ａ内で硬貨や紙幣のジャム（詰まり）等の異常が発生したときに、エラー解除のための筐体１ａの外部への硬貨や紙幣の取り出しの手順に係るガイダンス画面が操作表示部８６、８８に表示されるようになっており、操作者は、この操作表示部８６、８８に表示されるガイダンス画面に従って、上部カバー２を筐体１ａから上方に開いた後、筐体１ａの内部に手を入れて当該筐体１ａの内部から外部にジャムの要因となる硬貨や紙幣を取り出すようになっている。このようなエラー解除のために筐体１ａの外部へ硬貨や紙幣を取り出す際の動作について図６乃至図２０を用いて説明する。上述したように、図６は、図１に示す貨幣入金機１の上部カバー２を上方に開くとともに操作表示部８６、８８の支持部４を前方に倒したときの紙幣入金装置５０の内部構成を示す側面図である。また、図７乃至図１４は、図１に示す貨幣入金機１の筐体１ａ内で紙幣のジャム（詰まり）等の異常が発生したときに、エラー解除のために筐体１ａの内部から外部にジャムの要因となる紙幣を取り出す際の動作を示す斜視図である。また、図１５乃至図１９は、図１に示す貨幣入金機１の筐体１ａ内で紙幣のジャム（詰まり）等の異常が発生したときに、エラー解除のために筐体１ａの内部から外部にジャムの要因となる紙幣を取り出す際における紙幣入金装置５０の内部構成の一部を示す側面図である。また、図２０（ａ）〜（ｄ）は、図１に示す貨幣入金機１においてエラー解除のために筐体１ａの内部から外部にジャムの要因となる紙幣を取り出す際に操作表示部８６、８８に表示されるガイダンス画面を示す図である。なお、以下の説明では、紙幣入金装置５０において紙幣のジャム等の異常が発生したときにこの紙幣入金装置５０から紙幣を取り出してエラー解除を行う際の動作について述べるが、硬貨入金装置１０において硬貨のジャム等の異常が発生したときにも同様の方法で硬貨入金装置１０から硬貨を取り出してエラー解除を行うことができるようになっている。
【００５１】
筐体１ａ内で硬貨や紙幣のジャム（詰まり）等の異常が発生したときには、まず、図２０（ａ）に示すように、操作者に対して上部カバー２を筐体１ａから上方に開くことを指示する旨のガイダンス画面が操作表示部８６、８８に表示される。そして、図７や図１５に示すように、操作者が操作表示部８６、８８に表示されるガイダンス画面に従って上部カバー２を筐体１ａから上方に開くと、当該操作者は紙幣入金装置５０の内部にある搬送部５６、識別部５８、分岐部６０等にアクセスすることができるようになり、これらの搬送部５６、識別部５８、分岐部６０の各構成部材から紙幣を取り出すことができるようになる。上部カバー２を筐体１ａから上方に開いた後、搬送部５６、識別部５８、分岐部６０の各構成部材から紙幣を取り出す際の動作の詳細について以下に説明する。
【００５２】
図８や図１５に示すように、識別部５８の下端部分には水平方向に延びる軸５８ｐが設けられており、この軸５８ｐを中心として識別部５８を図１５における反時計回りの方向に回転させることにより当該識別部５８を図８や図１５に示す状態から手前側に開くことができるようになっている。また、本実施の形態の貨幣入金機１には、識別部５８が前方に開かれたときにこのことを検知する識別部開閉検知センサ（図示せず）が設けられている。なお、図９は、図８に示す状態から識別部５８を前方に開いたときの当該識別部の構成を示す斜視図であり、また、図１６は、図１５に示す状態から識別部５８を前方に開いたときの紙幣入金装置５０の内部構成の一部を示す側面図である。また、識別部５８の上端部分には取っ手５８ａが設けられており、操作者はこの取っ手５８ａを指で持つことにより識別部５８を図８や図１５に示す状態から手前側に開くことができるようになっている。
【００５３】
操作者が上部カバー２を筐体１ａから上方に開き、このことが図示しない上部カバー開閉検知センサにより検知されると、図２０（ｂ）に示すように、操作者に対して識別部５８（図面における表示は「紙幣ユニット」）を手前側に開くことを指示する旨のガイダンス画面が操作表示部８６、８８に表示される。そして、操作者が操作表示部８６、８８に表示されるガイダンス画面に従って、軸５８ｐを中心として識別部５８を回転させることにより当該識別部５８を図８や図１５に示す状態から手前側に開くと、この識別部５８の内部に残留している紙幣を貨幣入金機１の筐体１ａの外部へ取り出すことができるようになる。
【００５４】
また、本実施の形態では、図１５等に示すように、識別部５８の上方には、当該識別部５８の取っ手５８ａに光を照射するＬＥＤ照明等の照明部６６が設けられている。そして、この照明部６６により取っ手５８ａに光が照射されることにより、操作者は上部カバー２を筐体１ａから上方に開いた後、識別部５８を前方に開く際にどの部分を操作すれば良いかが一目で分かるようになり、操作者にとっての利便性を向上させることができる。なお、識別部５８の上方に照明部６６を設ける代わりに、識別部５８の取っ手５８ａ自体にＬＥＤ照明等の照明部（発光部）を設けてもよい。この場合でも、操作者は上部カバー２を筐体１ａから上方に開いた後、識別部５８を前方に開く際にどの部分を操作すれば良いかが一目で分かるようになる。
【００５５】
また、図１０、図１１、図１５乃至図１７等に示すように、紙幣の搬送方向における識別部５８の上流側に設けられた搬送部５６は、手前側上方に開くことができる可動搬送部分５６ａおよび位置固定で設けられた固定搬送部分５６ｂから構成されており、これらの可動搬送部分５６ａおよび固定搬送部分５６ｂの間で紙幣が搬送されるようになっている。より詳細には、図１５乃至図１７等に示すように、可動搬送部分５６ａの上端部分には水平方向に延びる軸５６ｐが設けられており、この軸５６ｐを中心として可動搬送部分５６ａを図１５乃至図１７等における時計回りの方向に回転させることにより可動搬送部分５６ａを手前側上方に開き、可動搬送部分５６ａと固定搬送部分５６ｂとの間に残留する紙幣を外部へ取り出すことができるようになっている。また、本実施の形態の貨幣入金機１には、搬送部５６の可動搬送部分５６ａが手前側上方に開いたときにこのことを検知する搬送部開閉検知センサ（図示せず）が設けられている。なお、図１０は、図８に示す状態から識別部５８を前方に開いたときの搬送部５６の可動搬送部分５６ａの構成を示す斜視図であり、図１１は、図１０に示す状態から搬送部５６の可動搬送部分５６ａを手前側上方に開いたときの当該可動搬送部分５６ａの構成を示す斜視図である。また、図１７は、図１６に示す状態から搬送部５６の可動搬送部分５６ａを手前側上方に開いたときの紙幣入金装置５０の内部構成の一部を示す側面図である。なお、本実施の形態では、識別部５８を図９や図１６に示すように手前側に開いた後でないと、搬送部５６の可動搬送部分５６ａを手前側上方に開くことができないようになっている。すなわち、識別部５８が図８や図１５に示すように閉じられた状態にあるときには、搬送部５６の可動搬送部分５６ａを手前側上方に開こうとしても当該可動搬送部分５６ａが識別部５８に引っ掛かってしまいこの可動搬送部分５６ａを手前側上方に開くことができないようになっている。
【００５６】
また、図１２乃至図１４、図１８および図１９に示すように、紙幣の搬送方向における識別部５８の下流側に設けられた分岐部６０は、奥側上方に開くことができる可動搬送部分６０ａおよび位置固定で設けられた固定搬送部分６０ｂから構成されており、これらの可動搬送部分６０ａおよび固定搬送部分６０ｂの間で紙幣が搬送され、分岐爪６０ｃ（図１９参照）により紙幣の分岐が行われるようになっている。より詳細には、図１８および図１９に示すように、可動搬送部分６０ａの後端部分には水平方向に延びる軸６０ｐが設けられており、この軸６０ｐを中心として可動搬送部分６０ａを図１８や図１９における時計回りの方向に回転させることにより可動搬送部分６０ａを奥側上方に開き、可動搬送部分６０ａと固定搬送部分６０ｂとの間に残留する紙幣を外部へ取り出すことができるようになっている。また、本実施の形態の貨幣入金機１には、分岐部６０の可動搬送部分６０ａが奥側上方に開かれたときにこのことを検知する分岐部開閉検知センサ（図示せず）が設けられている。ここで、操作表示部８６、８８を支持するための支持部４が図１７に示すような所定位置にあるときには、操作者は分岐部６０の可動搬送部分６０ａを操作しづらいため、当該操作者は分岐部６０の可動搬送部分６０ａに手を触れる前に肘によって図１８に示すように支持部４を筐体１ａから手前側に倒し、分岐部６０の可動搬送部分６０ａを見やすくした後にこの可動搬送部分６０ａを奥側上方に開くようになっている。本実施の形態では、このように、支持部４を筐体１ａから手前側に倒すことによって筐体１ａの内部における作業スペースを広げることができ、よって操作者にとっての作業性を向上させることができる。なお、図１２は、図７に示す状態から操作表示部８６、８８の支持部４を前方に倒したときの外観を示す斜視図であり、図１３は、図７に示す状態から操作表示部８６、８８の支持部４を前方に倒したときの分岐部６０の可動搬送部分６０ａの構成を示す斜視図であり、図１４は、図１３に示す状態から分岐部６０の可動搬送部分６０ａを奥側上方に開いたときの当該可動搬送部分６０ａの構成を示す斜視図である。また、図１８は、図１５に示す状態から操作表示部８６、８８の支持部４を前方に倒したときの紙幣入金装置５０の内部構成の一部を示す側面図であり、図１９は、図１８に示す状態から分岐部６０の可動搬送部分６０ａを上方に開いたときの紙幣入金装置５０の内部構成の一部を示す側面図である。なお、本実施の形態では、識別部５８を図９や図１６に示すように手前側に開くと、分岐部６０の可動搬送部分６０ａを奥側上方に開こうとしても当該可動搬送部分６０ａが識別部５８に引っ掛かってしまいこの可動搬送部分６０ａを奥側上方に開くことができないようになっている。
【００５７】
また、本実施の形態では、図１８等に示すように、分岐部６０の可動搬送部分６０ａの手前側には、当該可動搬送部分６０ａの先端部分に光を照射するＬＥＤ照明等の照明部６８が設けられている。そして、可動搬送部分６０ａを開くべきタイミングに、照明部６８により当該可動搬送部分６０ａの先端部分に光が照射されることにより、操作者は上部カバー２を筐体１ａから上方に開くとともに操作表示部８６、８８の支持部４を筐体１ａから手前側に倒した後、分岐部６０の可動搬送部分６０ａを奥側上方に開く際にどの部分を操作すれば良いかが一目で分かるようになり、操作者にとっての利便性を向上させることができる。なお、分岐部６０の可動搬送部分６０ａの手前側に照明部６８を設ける代わりに、分岐部６０の可動搬送部分６０ａ自体にＬＥＤ照明等の照明部（発光部）を設けてもよい。この場合でも、操作者は上部カバー２を筐体１ａから上方に開くとともに操作表示部８６、８８の支持部４を筐体１ａから手前側に倒した後、分岐部６０の可動搬送部分６０ａを奥側上方に開く際にどの部分を操作すれば良いかが一目で分かるようになる。
【００５８】
操作者は、上記の方法により紙幣入金装置５０における搬送部５６、識別部５８および分岐部６０の各構成部材から紙幣を取り出した後、各可動部分を閉じ、支持部４から手を離すことによって当該支持部４を図４に示すような元の位置に戻すとともに上部カバー２を閉じることにより、エラー解除動作が完了する。具体的には、支持部４を図４に示すような元の位置に戻すとともに上部カバー２を閉じ、上部カバー２が閉じたことが図示しない上部カバー開閉検知センサにより検知されると、操作表示部８６、８８には図２０（ｃ）に示すような装置リセット中であることを示すガイダンス画面が表示され、その後、操作表示部８６、８８に表示される画面は図２０（ｄ）に示すような待機画面に戻るようになる。
【００５９】
なお、硬貨入金装置１０において硬貨のジャム等の異常が発生したときにも、紙幣入金装置５０における搬送部５６、識別部５８および分岐部６０の各構成部材から紙幣を取り出す上記の方法と同様の方法で硬貨入金装置１０から硬貨を取り出してエラー解除を行うことができるようになっている。すなわち、操作者は上部カバー２を上方に開くことにより硬貨入金装置１０における回転盤１３や搬送部１４等にアクセスすることができるようになり、これらの回転盤１３や搬送部１４等から硬貨を取り出すことによりエラー解除を行うことができるようになる。
【００６０】
以上のような構成からなる本実施の形態の貨幣入金機１によれば、エラー解除のための筐体１ａの外部への硬貨や紙幣の取り出しの手順に係るガイダンス画面を少なくとも表示させることができる操作表示部８６、８８は、開閉可能となっている上部カバー２とは別に筐体１ａに設けられており、上部カバー２を開けることによって筐体１ａの内部にアクセス可能となっている。この場合には上部カバー２を上方に開いても操作表示部８６、８８は上部カバー２と一体的に移動することがないため、上部カバー２を筐体１ａから開いた後に当該筐体１ａの内部から外部にジャムの要因となる硬貨や紙幣を取り出す際に、上部カバー２が開かれた状態でも操作表示部８６、８８に表示されるガイダンス画面の視認性を維持することができ、よって、操作者にとっての作業性を向上させることができる。すなわち、従来技術ではエラー解除のための筐体外への硬貨や紙幣の取り出しの手順に係るガイダンス画面を表示させる操作表示部が上部カバーに取り付けられており、上部カバーを筐体から上方に開くと操作表示部もカバーと一体的に上方に移動するようになっていたため、上部カバーを筐体から上方に開いたときに、操作者にとって操作表示部に表示されるガイダンス画面が見にくくなり、筐体の内部から外部にジャムの要因となる硬貨や紙幣を取り出す際の作業性が悪くなってしまうという問題があった。これに対し、本実施の形態では、上部カバー２を筐体１ａから上方に開いても操作表示部８６、８８の位置が変わらないため、操作表示部８６、８８に表示されるガイダンス画面の視認性を維持することができる。
【００６１】
また、本実施の形態の貨幣入金機１においては、上述したように、筐体１ａの外部から内部に硬貨を投入するための投入部１２の投入口や筐体１ａの外部から内部に紙幣を投入するための投入部５２の投入口が上部カバー２に設けられている。
【００６２】
また、本実施の形態の貨幣入金機１においては、上述したように、操作表示部８６、８８を所定位置（具体的には、図４に示す位置）から移動させることができるようになっている。より詳細には、操作表示部８６、８８を支持するための支持部４が設けられており、この支持部４は当該支持部４の基端部分に設けられた軸４ｐを中心として揺動可能となっている。この場合には、支持部４を所定位置から移動させることにより筐体１ａ内での作業スペースを広くすることができ、よって操作者にとっての作業性を向上させることができる。ここで、図４に示すように、支持部４は貨幣入金機１の筐体１ａの前壁部分の少なくとも一部を構成している。また、図６や図１２に示すように、支持部４は筐体１ａの手前側に開くことができるようになっている。また、上述したように、支持部４を元の所定位置に戻る方向に付勢するための図示しない付勢部（具体的には、例えばねじりバネ等）が設けられており、このことより操作者は支持部４から手を離すだけでこの支持部４を元の所定位置に戻すことができるようになっている。
【００６３】
また、本実施の形態の貨幣入金機１においては、上述したように、上部カバー２が開かれた状態においてのみ操作表示部８６、８８を所定位置から移動させることができるようになっている。このことにより、筐体１ａの内部から硬貨や紙幣を取り除くために上部カバー２を開く場合以外では操作表示部８６、８８が所定位置から移動してしまうことがないため、操作表示部８６、８８が不用意に移動してしまうことを防止することができる。
【００６４】
なお、本実施の形態による貨幣入金機１やこの貨幣入金機１による貨幣処理方法は、上述したような態様に限定されることはなく、様々な変更を加えることができる。
【００６５】
例えば、変形例に係る貨幣入金機として、操作表示部８６、８８を支持するための支持部４を筐体１ａから手前側に倒すのではなく横に開くことができるようになっていてもよい。具体的には、支持部４は鉛直方向に延びる軸（図示せず）を中心として揺動可能となっており、支持部４を図１に示すような所定位置から当該軸を中心として回転させることにより筐体１ａ内での作業スペースを広くすることができるようになっていてもよい。
【００６６】
また、本実施の形態による貨幣入金機は、操作表示部８６、８８を支持するための支持部４が軸４ｐを中心として揺動可能となっているものに限定されることはない。本実施の形態による貨幣入金機として、筐体１ａの内部から外部にジャムの要因となる貨幣を取り出す際に、上部カバー２が開かれた状態でも操作表示部８６、８８に表示されるガイダンス画面の視認性を維持することができるものであれば、図１乃至図２０に示すような構成以外のものを用いることができる。このような変形例に係る貨幣入金機１ｓの構成について図２１を用いて以下に説明する。なお、図２１に示すような変形例に係る貨幣入金機１ｓは、図１乃至図２０に示す貨幣入金機１と比較して操作表示部８６、８８が支持部４により支持されるのではなく上部カバー２ａに取り付けられるとともに当該上部カバー２ａが複数のカバー部分２ｍ、２ｎから構成されている点が異なるのみであり、他の構成部材については図１乃至図２０に示す貨幣入金機１と実質的に同一となっている。このため、図２１に示すような変形例に係る貨幣入金機１ｓを説明するにあたり、図１乃至図２０に示す貨幣入金機１と略同一の構成部材については同一の参照符号を付してその説明を省略する。
【００６７】
図２１に示すように、変形例に係る貨幣入金機１ｓの上部カバー２ａは第１カバー部分２ｍおよび第２カバー部分２ｎから構成されており、第１カバー部分２ｍは水平方向に延びる軸２ｐを中心として筐体１ａに対して回転可能となっている。また、第２カバー部分２ｎの上面には操作表示部８６、８８が設けられている。また、第１カバー部分２ｍおよび第２カバー部分２ｎは例えば蝶番（ヒンジ）２ｑにより接続されており、上部カバー２ａが筐体１ａから上方に開かれた後に第２カバー部分２ｎを第１カバー部分２ｍに対して手前側に倒すよう回転させることができるようになっている。このように、上部カバー２ａを筐体１ａから上方に開きながら、第２カバー部分２ｎを第１カバー部分２ｍに対して手前側に倒すよう回転させることにより操作表示部８６、８８の向きを変えることができ、よって操作者はこの第２カバー部分２ｎに設けられた操作表示部８６、８８に表示されるガイダンス画面を見ながら筐体１ａの内部から貨幣を取り除く作業を行うことができるようになる。また、図２１に示すような変形例に係る貨幣入金機１ｓの前壁部分６は、図１乃至図２０に示すような支持部４と同様に、筐体１ａから前方に倒すことができるようになっていてもよい。このことにより、前壁部分６を図２１に示すような所定位置から前方に倒すことによって筐体１ａ内での作業スペースを広くすることができ、よって操作者にとっての作業性を向上させることができる。
【００６８】
図２１に示すような変形例に係る貨幣入金機１ｓによれば、上部カバー２ａが開かれた状態において操作表示部８６、８８の向きを変えることができるようになっている。より詳細には、上部カバー２ａは複数のカバー部分（具体的には、第１カバー部分２ｍおよび第２カバー部分２ｎ）から構成されており、各カバー部分２ｍ、２ｎは他のカバー部分に対して回転可能に接続されており、上部カバー２ａが開かれた状態において第２カバー部分２ｎを第１カバー部分２ｍに対して回転させることにより操作表示部８６、８８の向きを変えることができるようになっている。このような技術的事項により、上部カバー２ａを筐体１ａから開いた後に当該筐体１ａの内部から外部にジャムの要因となる硬貨や紙幣を取り出す際に、上部カバー２ａが開かれた状態でも操作表示部８６、８８に表示されるガイダンス画面の視認性を維持することができ、よって、操作者にとっての作業性を向上させることができる。すなわち、図２１に示すような変形例に係る貨幣入金機１ｓでは、操作表示部８６、８８が上部カバー２ａに取り付けられている場合でも、当該上部カバー２ａを筐体１ａから上方に開いたときに操作表示部８６、８８に表示されるガイダンス画面の視認性を維持することができる。
【００６９】
なお、操作表示部８６、８８が上部カバーに設けられるような変形例に係る貨幣入金機において、図２１に示すように当該上部カバーを複数のカバー部分に分割する代わりに、上部カバーに対して操作表示部８６、８８を回転自在に取り付けるようにしてもよい。この場合でも上部カバーが開かれた状態において操作表示部８６、８８の向きを変えることができるようになるため、上部カバーを筐体１ａから開いた後に当該筐体１ａの内部から外部にジャムの要因となる硬貨や紙幣を取り出す際に、上部カバーが開かれた状態でも操作表示部８６、８８に表示されるガイダンス画面の視認性を維持することができ、よって、操作者にとっての作業性を向上させることができる。
【００７０】
また、本発明による貨幣処理装置は、貨幣の入金処理や計数処理を行う貨幣入金機に限定されることはない。本発明による貨幣処理装置として、貨幣の入金処理および出金処理をそれぞれ行うことができる貨幣入出金機が用いられてもよい。また、本発明による有価媒体処理装置は、貨幣の処理を行うものに限定されることはなく、貨幣以外の有価媒体（例えば、小切手や商品券等の有価証券）の処理を行うものであってもよい。このような貨幣入出金機や有価媒体処理装置にも本発明の原理を適用することができる。
【符号の説明】
【００７１】
１、１ｓ  貨幣入金機
１ａ    筐体
１ｂ、１ｃ  扉
２、２ａ  上部カバー
２ｍ    第１カバー部分
２ｎ    第２カバー部分
２ｐ    軸
４      支持部
４ｐ    軸
６      前壁部分
１０    硬貨入金装置
１２    投入部
１２ａ  シャッタ
１３    回転盤
１４    搬送部
１４ａ  搬送ベルト
１４ｂ、１４ｃ  プーリ
１６    識別部
１８    振分機構
２０    開口
２２    一時保留用シュート
２４    リジェクト用シュート
２６    一時保留部
２８    リジェクト部
３０    硬貨返却箱
３０ａ  把持部分
３１    ロック部
３２    収納用シュート
４０    硬貨収納カセット
５０    紙幣入金装置
５２    投入部
５２ａ  シャッタ
５４    繰出機構
５６    搬送部
５６ａ  可動搬送部分
５６ｂ  固定搬送部分
５６ｐ  軸
５８    識別部
５８ａ  取っ手
５８ｐ  軸
６０    分岐部
６０ａ  可動搬送部分
６０ｂ  固定搬送部分
６０ｃ  分岐爪
６０ｐ  軸
６２    リジェクト部
６４    一時保留部
６５    扉ロック部
６６、６８  照明部
７０    紙幣収納カセット
８０    本体制御部
８１    硬貨制御部
８２    紙幣制御部
８４    印字部
８６、８８  操作表示部
９０    読取部
９２    記録媒体
９２ａ  記憶部
９４    記憶部
９８    通信インターフェース部
【図１】
0006478561.tif 000002
【図２】
0006478561.tif 000003
【図３】
0006478561.tif 000004
【図４】
0006478561.tif 000005
【図５】
0006478561.tif 000006
【図６】
0006478561.tif 000007
【図７】
0006478561.tif 000008
【図８】
0006478561.tif 000009
【図９】
0006478561.tif 000010
【図１０】
0006478561.tif 000011
【図１１】
0006478561.tif 000012
【図１２】
0006478561.tif 000013
【図１３】
0006478561.tif 000014
【図１４】
0006478561.tif 000015
【図１５】
0006478561.tif 000016
【図１６】
0006478561.tif 000017
【図１７】
0006478561.tif 000018
【図１８】
0006478561.tif 000019
【図１９】
0006478561.tif 000020
【図２０】
0006478561.tif 000021
【図２１】
0006478561.tif 000022